(57)【特許請求の範囲】
【請求項１】
両端にコアを固定する固定部とピン端子を設けた台座に口字形閉磁路コアを固定し、前記コアの一方の磁脚にコイルボビンを装着し、該コイルボビンに巻線を施してなるチョークコイルにおいて、前記コアの対辺関係に位置する二つの磁脚を通す各々の切欠部を有する２分割のフェライトプレートを設け、コアの前記磁脚を前記切欠部に通し、前記コアに前記フェライトプレートを取り付けて、前記コアと前記フェライトプレートとを前記台座に固定し、前記コイルボビンは前記コアの磁脚に装着され、中央部に前記磁脚を軸として回転する際に、前記フェライトプレートを装着して回転可能なフェライトプレート接合部を有してなることを特徴とするチョークコイル。
【請求項２】
請求項１記載のチョークコイルにおいて、片方の前記切欠部が、半円形、四半円形、円弧のいずれかである２分割の矩形板状のフェライトプレートを用いることを特徴とするチョークコイル。
【請求項３】
請求項１記載のチョークコイルにおいて、前記口字形閉磁路コアの磁脚の一方のほぼ中央に空隙を有する内側に向かって突出した凸部を設けて、日字形コアとすることを特徴とするチョークコイル。
【請求項４】
両端にコアを固定する固定部とピン端子を設けた台座に、磁脚の一辺から対辺に向かって突出した凸部を有し、前記凸部の先端と前記対辺間には空隙を有する日字形閉磁路コアを固定し、前記コアの磁脚にコイルボビンを装着し、該コイルボビンに巻線を施してなるチョークコイルにおいて、前記コアの対向する二つの磁脚と前記凸部とを通す各々の切欠部を有する２分割のフェライトプレートを設け、コアの前記磁脚と前記凸部とを前記切欠部に通し、前記コアに前記フェライトプレートを取り付けて、前記コアと前記フェライトプレートとを前記台座に固定し、前記コイルボビンは日字形閉磁路コアの前記凸部に対向する磁脚に装着され、中央部に前記磁脚を軸として回転する際に、前記凸部に対して回転可能な凸部通過部を有し、前記凸部通過部と前記凸部に接合するフェライトプレートを装着することを特徴とするチョークコイル。
【請求項５】
請求項１ないし請求項４のいずれか１項に記載のチョークコイルにおいて、前記二つの切欠部が、半円形、四半円形、円弧のいずれかで連続した一つの凹部からなる２分割の矩形板状のフェライトプレートを用いることを特徴とするチョークコイル。
【請求項６】
請求項３ないし請求項５のいずれか１項に記載のチョークコイルにおいて、前記二つの切欠部が半円形、四半円形、円弧のいずれかで連続した一つの凹部を形成し、コイルボビンの巻芯に装着される磁脚と対向する他方の脚部を支持する突片を下辺に設けた、矩形板状の前記２分割のフェライトプレートを用いることを特徴とするチョークコイル。
【請求項７】
両端にコアを固定する固定部とピン端子を設けた台座に口字形閉磁路コアを固定し、前記コアの磁脚にコイルボビンを装着し、該コイルボビンに巻線を施してなるチョークコイルであって、前記チョークコイルは前記口字形閉磁路コアの磁脚部に装着可能な一つの切欠部を有するフェライトプレートを配し、前記コイルボビンの中央にフェライトプレートを収納するリング状の収納部を設け、前記フェライトプレートをコイルボビンに装着した際に、コイルボビンが口字形閉磁路コアの磁脚を軸として回転できることを特徴とするチョークコイル。
【請求項８】
請求項７記載のチョークコイルにおいて、二分割の前記フェライトプレートが板状半円でコアの磁脚を通す一つの切欠部を有することを特徴とするチョークコイル。
【請求項９】
請求項７記載のチョークコイルにおいて、前記フェライトプレートが円板状で、コアの磁脚を取付ける一つの切欠部を設けることを特徴とするチョークコイル。
【請求項１０】
請求項７記載のチョークコイルにおいて、前記フェライトプレートが四半円形で、コアの磁脚を取付ける切欠部を設けることを特徴とするチョークコイル。
【請求項１１】
請求項１ないし請求項７のいずれか１項に記載の口字形又は日字形閉磁路コアの脚部は、断面が円形、多角形、楕円のいずれかを形成することを特徴とするチョークコイル。
【発明の詳細な説明】
【０００１】
【発明の属する技術分野】
本発明は、電源ラインに挿入される雑音防止用チョークコイルに関するものである。
【０００２】
【従来の技術】
近年、電子機器の普及に伴い、商用電源ラインには多量の高調波電流が流れるようになってきている。従って、現在、高調波電流抑制の国際規格（ＩＥＣ５５５）の適用に伴い、インバータ照明機器の電源ラインには、アクティブノイズフィルタを設置し、高調波電流を抑制している。
【０００３】
しかしながら、アクティブノイズフィルタは、高調波電流を抑制するものの、アクティブノイズフィルタ自体がノーマルモードノイズ発生の原因となるため、アクティブノイズフィルタの入力部には、ノーマルモードノイズの除去が可能なチョークコイルの接続が必要であった。
【０００４】
従って、アクティブノイズフィルタの入力部には、ノーマルモードチョークコイルと、図２２のようなコマンモードチョークコイルを設置していた。
【０００５】
しかしながら、ノーマルモードを除去するチョークコイルとコモンモードノイズを除去するチョークコイルの２つを設置するのは、インバータ照明機器の小型化や低価格化に不利であった。
【０００６】
図２２のコモンモードチョークコイルは、一例として、図２１の口字形閉磁路コア２にコイルボビン１１を取付け、前記コイルボビン１１を回転することにより、コイルボビン１１に自動巻線を施すものである。
【０００７】
【発明が解決しようとする課題】
このコモンモードチョークコイルは、コイルボビン１１を回転することによる自動巻線が可能であるために、インダクタンスが高く、かつ製造が容易で、安価なチョークコイルである。しかしながら、前記コモンモードチョークコイルは、磁路中にギャップが無いために、リーケージインダクタンスが小さく、ノーマルモードノイズはあまり除去されない。
【０００８】
リーケージインダクタンスを大きくするために、図２２のコモンモードチョークコイルの磁路中にギャップを設けたのでは、今度はコモンモードノイズを除去する自己インダクタンスが小さくなってしまうという問題があった。
【０００９】
本発明は、チョークコイルを製造する際、自動巻線が容易であり、コモンモードノイズを除去する自己インダクタンスが減少することなしに、ノーマルモードノイズを除去するリーケージインダクタンスを増加することが可能な、安価で、かつ小型であり、なおかつ製造が容易なチョークコイルを提供することを目的とする。
【００１０】
【課題を解決するための手段】
本発明は、両端にコアを固定する固定部とピン端子を設けた台座に口字形閉磁路コアを固定し、前記コアの一方の磁脚にコイルボビンを装着し、該コイルボビンに巻線を施してなるチョークコイルにおいて、コアの対辺関係に位置する二つの磁脚を通す各々の切欠部を有する２分割のフェライトプレートを設け、コアの前記磁脚を前記切欠部に通し、前記コアに前記フェライトプレートを取り付けて、前記コアと前記フェライトプレートとを前記台座に固定し、前記コイルボビンは前記コアの磁脚に装着され、中央部に前記磁脚を軸として回転する際に、前記フェライトプレートを装着して回転可能なフェライトプレート接合部を有してなることを特徴とするチョークコイルである。
【００１１】
又、本発明は、上記チョークコイルにおいて、片方の前記切欠部が、半円形、四半円形、円弧のいずれかである２分割の矩形板状のフェライトプレートを用いることを特徴とするチョークコイルである。
【００１２】
又、本発明は、上記チョークコイルにおいて、前記口字形閉磁路コアの磁脚の一方のほぼ中央に空隙を有する内側に向かって突出した凸部を設けて、日字形コアとすることを特徴とするチョークコイルである。
【００１３】
又、本発明は、両端にコアを固定する固定部とピン端子を設けた台座に、磁脚の一辺から対辺に向かって突出した凸部を有し、前記凸部の先端と前記対辺間には空隙を有する日字形閉磁路コアを固定し、前記コアの磁脚にコイルボビンを装着し、該コイルボビンに巻線を施してなるチョークコイルにおいて、前記コアの対向する二つの磁脚と前記凸部とを通す各々の切欠部を有する２分割のフェライトプレートを設け、コアの前記磁脚と前記凸部とを前記切欠部に通し、前記コアに前記フェライトプレートを取り付けて、前記コアと前記フェライトプレートとを前記台座に固定し、前記コイルボビンは日字形閉磁路コアの前記凸に部対向する磁脚に装着され、中央部に前記磁脚を軸として回転する際に、前記凸部に対して回転可能な凸部通過部を有し、前記凸部通過部と前記凸部に接合するフェライトプレートを装着することを特徴とするチョークコイルである。
【００１４】
又、本発明は、上記チョークコイルにおいて、前記二つの切欠部が、半円形、四半円形、円弧のいずれかで連続した一つの凹部からなる２分割の矩形板状のフェライトプレートを用いることを特徴とするチョークコイルである。
【００１５】
又、本発明は、上記チョークコイルにおいて、前記二つの切欠部が半円形、四半円形、円弧のいずれかで連続した一つの凹部を形成し、コイルボビンの巻芯に装着される磁脚と対向する他方の脚部を支持する突片を下辺に設けた、矩形板状の前記２分割のフェライトプレートを用いることを特徴とするチョークコイルでる。
【００１７】
又、本発明は、両端にコアを固定する固定部とピン端子を設けた台座に口字形閉磁路コアを固定し、前記コアの磁脚にコイルボビンを装着し、該コイルボビンに巻線を施してなるチョークコイルであって、前記チョークコイルは前記口字形閉磁路コアの磁脚部に装着可能な一つの切欠部を有するフェライトプレートを配し、前記コイルボビンの中央にフェライトプレートを収納するリング状の収納部を設け、前記フェライトプレートをコイルボビンに装着した際に、コイルボビンが口字形閉磁路コアの磁脚を軸として回転できることを特徴とするチョークコイルである。
【００１８】
又、本発明は、上記チョークコイルにおいて、二分割の前記フェライトプレートが板状半円でコアの磁脚を通す一つの切欠部を有することを特徴とするチョークコイルである。
【００１９】
又、本発明は、上記チョークコイルにおいて、前記フェライトプレートが円板状で、コアの磁脚を取付ける一つの切欠部を設けることを特徴とするチョークコイルである。
【００２０】
又、本発明は、上記チョークコイルにおいて、前記フェライトプレートが四半円形で、コアの磁脚を取付ける切欠部を設けることを特徴とするチョークコイルである。
【００２１】
又、本発明は、上記口字形又は日字形閉磁路コアの脚部は、断面が円形、多角形、楕円のいずれかを形成することを特徴とするチョークコイルである。
【００２２】
【発明の実施の形態】
以下、本発明の実施の形態を説明する。
【００２３】
（実施の形態１）
本発明の実施の形態１について図面を用いて詳細に説明する。
【００２４】
図１に、本発明のチョークコイルの外観斜視図を示す。また、図２に、本発明のチョークコイルに使用するボビン分割体１を示す。また、図３に、本発明のチョークコイル完成後の口字形閉磁路コアとフェライトプレートの位置関係を示す。また、図４に、本発明のチョークコイルに使用する台座本体２３ａを示す。
【００２５】
本発明のチョークコイルについて、図１に示すような歯車付きチョークコイルを例に説明する。本発明のチョークコイルに用いられるボビン分割体１は、図２に示すように、半円筒形の巻芯４の外周に端部鍔５，６と、中心部分に凹状のフェライトプレート接合部１２を形成する中央鍔７，８と同相内仕切りのための仕切り板９，１０が一体に設けられている。二分割された巻芯４の接合面には、嵌合突片１７，１８および段部１９並びに嵌合溝２０を設けてある。端部鍔５，６の分割面に係合片２１と係合孔２２を設けてある。このボビン分割体１は、雌雄型を構成し、嵌合して、コイルボビンとなる。
【００２６】
上記チョークコイルに用いられる２枚のフェライトプレートは、図２及び図３に示すように、口字形閉磁路コア２と同一材料で形成されており、ボビン分割体１の巻芯４の外周に形成された接合部１２の外周と接するように接合するための半円形の切欠部１３と、口字形閉磁路コア２の角棒状の磁脚３と対辺関係に位置する他方の磁脚１４に接合するための矩形状の切欠部１５を接合面３３に分割するように有する。前記切欠部１３は、この他に四半円形、円弧等でもよい。又、口字形閉磁路コアの磁脚の断面は、円形、多角形、楕円等でもよい。
【００２７】
図４に示すような台座本体２３ａは、絶縁性樹脂によって継部３４の両端に台座２３が形成され、前記口字形閉磁路コアを設置する固定部２４，３０と４本のピン端子２５を持つ。
【００２８】
本発明のチョークコイルは、図１ないし図４に示すように、以下の要領で製造される。
【００２９】
ボビン分割体１を口字形閉磁路コア２の角棒状の一方の磁脚３を囲うように二分割された半円筒形の巻芯４が、円筒をなすように突き合わせた後、この巻芯４の巻線部２８に２つの巻線２６を巻回す。口字形閉磁路コア２の角棒状の一方の前記磁脚３と対辺関係に位置する他方の磁脚１４を台座２３の口字形開磁路コアを設置する固定部２４，３０に組み合わせて固定する。
【００３０】
二つの巻線２６の端末２７は、台座２３の４本の前記ピン端子２５に絡げる。最後に分割状の２枚のフェライトプレートの厚さＴの半円形の切欠部１３と接合面３３を、ボビン分割体１の巻芯の外周に形成された接合部１２に接するように合わせ、かつフェライトプレートの矩形状の切欠部１５が、口字形閉磁路コア２の角棒状の前記磁脚３と対辺関係に位置する他方の磁脚１４に接合させ、この接合部分を接着剤又はホルダー等を用いて固定し、本発明のチョークコイルが完成する。
【００３１】
表１、に本発明のチョークコイルのフェライトプレート形状及び厚さＴを変化した場合の自己インダクタンスＬとリーケージインダクタンスＬｅ及びＬｅ／Ｌの値を示す。
【００３２】
0003871152.tif 000002
【００３３】
フェライトプレートの形状は、図１及び図４に示す前記実施の形態１で説明した形状及び図６に示すボビン分割１の巻芯４の外周に形成された接合部１２と接合するための、切欠部２９が四半円状になっている。この他の実施の形態を示す形状及び比較例として、フェライトプレートをいれないものの３種類を用意した。フェライトプレートの他の実施の形態を示す形状を使用した場合のチョークコイルを図５に示す。また、フェライトプレートの厚さＴは、両方とも２，４，６ｍｍの３種類を用意した。それぞれについてＬとＬｅとを測定した。
【００３４】
この表１より、フェライトプレートを挿入したチョークコイルは、フェライトプレートを挿入しないものと比較して、リーケージインダクタンスが２倍以上の値を示し、自己インダクタンスの値に変化がないことがわかる。
【００３５】
従って、本発明のチョークコイルは、従来のチョークコイルと比較して、リーケージインダクタンスが高く、かつ自己インダクタンスに変化がないので、ノーマルモードノイズとコモンモードノイズの両方の除去に効果的なチョークコイルであることがわかる。
【００３６】
（実施の形態２）
以下、図面を用いて本発明の実施の形態２について説明する。
【００３７】
本発明のチョークコイルについて、実施の形態１と同様、歯車付きチョークコイルを例に説明する。
図７に、本発明の歯車ボビン付きチョークコイルの外観を示す。また、図８に、本発明のチョークコイルに使用するボビン分割体１を示す。また、図９に、本発明のチョークコイルに使用する凸部２ａを有する略日字形閉磁路コア２Ａを示す。また、図１０に、本発明のチョークコイルに使用するフェライトプレート２８ａを示す。また、図１１に、本発明のチョークコイル完成後の略日字形閉磁路コア２Ａとフェライトプレート２８ａの位置関係を示す斜視図を示す。また、本発明のチョークコイルに使用する台座本体２３ａは、図４に示すように、実施の形態１と同じものを用いた。
【００３８】
図８のボビン分割体１は、図８及び図９に示すように、半円筒形の巻芯４の外周に端部鍔５，６と、中央部に設けられた日字形閉磁路コアの凸部２ａを回転できる中央鍔７，８との間に凸部通過部１２ａを形成し、その中央鍔７，８と同相内仕切のための仕切り板９，１０が鍔状に一体に設けられている。また、端部鍔６には、自動巻線を可能とするための歯車１６が設けられている。二分割された巻芯４の接合面には、嵌合突片１７，１８及び段部１９並びに嵌合溝２０を設けてある。端部鍔５，６の分割面に係合片２１と係合孔２２を設けてある。以上は、実施の形態１と同じである。
【００３９】
図９の日字形閉磁路コア２Ａは、一辺の直線部分である磁脚１４の中央部分に、前記磁脚１４の対辺に位置する角棒状の磁脚３の中心に向かって伸びる凸部２ａと空隙２ｂを持つ。尚、日字形閉磁路コアの磁脚の断面は、円形、多角形、楕円等であってもよい。
【００４０】
図１０，図１１のフェライトプレート２８ａは、略日字形閉磁路コア２Ａと同一材料で形成されており、接合面３３即ち中心線の左右に分割が可能であり、ボビン分割体の凸部通過部１２ａ（図８参照）と接合するための弧状の切欠部２９と、連続した日字形閉磁路コア２Ａの凸部２ａと接合するための矩形状の切欠部３５を持つ。前記切欠部２９は、半円形、四半円形等でもよく、また他の切欠部３５も角形で凸部が挿入するものであればよい。
【００４１】
台座本体２３ａは、図４に示すように、絶縁性樹脂によって継部３４の両端に台座２３が形成され、日字形閉磁路コアを設置する固定部２４，３０と４本のピン端子２５を持つ。
【００４２】
本発明のチョークコイルは、図７〜図１１に示すように、以下の要領で製造される。
【００４３】
ボビン分割体１を日字形閉磁路コア２Ａの角棒状の磁脚３を囲うように二分割された半円筒形の巻芯４が円筒をなすように、かつ日字形閉磁路コア２Ａの凸部２ａが、ボビン分割体１の凸部通過部１２ａを通過するように突き合わせた後、この巻芯４の巻線部２８の二つの巻線２６を巻回す。
日字形磁路コア２Ａの凸部２ａを持つ磁脚１４と台座２３と日字形閉磁路コアを設置する固定部２４，３０を組み合わせて固定する。
【００４４】
二つの巻線２６の端末２７は、台座２３の４本のピン端子２５に絡げる。最後の二分割されたフェライトプレート２８ａを、フェライトプレートの円弧状の切欠部２９をボビン分割体１の凸部通過部１２ａと接合させ、かつフェライトプレート２８ａの直線状の切欠部３５が、日字形閉磁路コア２Ａの凸部２ａに接合され、この接合部分を接着剤又はホルダー等を用いて固定装着し、本発明のチョークコイルが完成する。
【００４５】
表２に、本発明のチョークコイルのフェライトプレートの厚さＴを変化した場合の自己インダクタンスＬとリーケージインダクタンスＬｅ及びＬｅ／Ｌの値を示す。フェライトプレートの厚さＴが２ｍｍと４ｍｍのものについて測定した。また、比較例として、本発明のチョークコイルの日字形閉磁路コアにコモンモードチョークコイルに使用される凸部をもたない。口字形閉磁路コアを使用し、かつフェライトプレート２８ａを装着しないチョークコイルの自己インダクタンスＬとリーケージインダクタンスＬｅ及びＬｅ／Ｌの値を示す。
【００４６】
0003871152.tif 000003
【００４７】
この表２より、口字形閉磁路コアを使用し、フェライトプレート２８ａを装着した本発明のチョークコイルは、口字形閉磁路コアを使用したフェライトプレート２８ａを装着しない従来のチョークコイルと比較して、リーケージインダクタンスが３倍以上の値を示し、自己インダクタンスの値に変化がないことがわかる。
【００４８】
従って、本発明のチョークコイルは、従来のチョークコイルと比較して、リーケージインダクタンスが高く、かつ自己インダクタンスに変化がないので、ノーマルモードノイズとコモンモードノイズの両方の除去に効果的なチョークコイルであることがわかる。
【００４９】
また、チョークコイルに装着するフェライトプレートを図１３のフェライトプレート３１のように、直線部の磁脚１４を装着する突片３２を一体成形した形状にしても本発明の実施は可能である。
【００５０】
図１３のフェライトプレート３１を装着した図１２のチョークコイルは、図１４に示すフェライトプレート３１と日字形磁路コア２Ａの位置関係を示す概念図からもわかるように、フェライトプレート３１の突片３２によってフェライトプレート３１と略口字形閉磁路コア２Ａ間の接合部分の面積が広くなるために、図７のチョークコイルと比較して、漏洩磁束がより大きくなるため、リーケージインダクタンスが大きく、ノーマルモードノイズの除去により効果的である。
【００５１】
（実施の形態３）
以下、図面を用いて本発明の実施の形態３について説明する。
【００５２】
本発明のチョークコイルの実施の形態３について、実施の形態１と同様、歯車付きチョークコイルを例に説明する。
図１５に、本発明の歯車ボビン付きチョークコイルを示す。また、図１６に、本発明のチョークコイルに使用するボビン分割体を示す。図１７に、本発明の歯車ボビン付きチョークコイル完成後の口字形閉磁路コア２とフェライトプレートの位置関係を示す概念図を示す。また、実施の形態３では、本発明のチョークコイルに使用する台座２３は、図４に示すように、実施の形態１と同じものを用いた。
【００５３】
図１７の上下に分割された２枚の半円形のフェライトプレート３６は、口字形閉磁路コアと同一材料で形成されており、口字形閉磁路コア２の一辺の角棒状の磁脚３に接合し、接合するためのコ字状の切欠部１５を持つ。
【００５４】
図１６，図１７に示すように、ボビンの分割体１は、半円筒形の巻芯４の外周に、端部鍔５，６とフェライトプレート３６の収納部１２ｂと同相内仕切りのための仕切り板９，１０が鍔状に一体に設けられている。また、端部鍔６には、自動巻線を可能とするための歯車１６が設けられている。二分割された巻芯４の接合面には、嵌合突片１７，１８及び段部１９並びに嵌合溝２０を設けてある。端部鍔５，６の分割面に係合片２１と係合孔２２を設けてある。
【００５５】
上記ボビン分割体１のフェライトプレート３６の収納部１２ｂは、フェライトプレート３６を口字形閉磁路コア２の角棒状の磁脚３に接合した後、ボビン分割体１を口字形閉磁路コア２の角棒状の磁脚３に装着する際、フェライトプレート３６を収納可能であり、かつフェライトプレート３６が固定されたまま２つのボビン分割体１を組み合わせて構成され、歯車付きコイルボビン７ａ（図１５参照）が、口字形閉磁路コア２の角棒状の磁脚３を回転軸として回転することが可能である。
【００５６】
台座本体２３ａは、図４に示すように、絶縁性樹脂によって継部３４の両端に台座２３が形成され、口字閉磁路コアを設置する固定部２４，３０と４本のピン端子２５を持つ。
【００５７】
図１５の本発明のチョークコイルは、図１５、図１６、図１７に示すように、以下の要領で製造される。
【００５８】
２枚のフェライトプレート３６を二つのボビン分割体１のフェライトプレートの収納部１２ｂにそれぞれ収納し、ボビン分割体１を口字形閉磁路コア２の一辺の角棒状の磁脚３を囲うように半円筒形の巻芯４が円筒をなすように接合面を付き合わせた後、この巻芯４の巻線部２８に二つの巻線２６を巻回す。
【００５９】
口字形閉磁路コア２の磁脚３と対辺関係に位置する磁脚１４と台座２３の口字形閉磁路コア固定部２４，３０（図４参照）を組み合わせて固定する。
【００６０】
二つの巻線２６の端末２７は、台座２３の４本のピン端子２５を絡げて、本発明のチョークコイルが完成する。
【００６１】
表３に、本発明のチョークコイルのフェライトプレートの厚さＴを変化した場合の自己インダクタンスＬとリーケージインダクタンスＬｅ及びＬｅ／Ｌの値を示す。フェライトプレートの厚さＴが２，３ｍｍの２種類と、比較例としてフェライトプレートを入れないものについて測定した。
【００６２】
0003871152.tif 000004
【００６３】
この表３より、フェライトプレートを挿入してチョークコイルは、フェライトプレートを挿入しないものと比較してリーケージインダクタンスが２倍以上の値を示し、自己インダクタンスの値に変化がないことがわかる。
【００６４】
従って、本発明のチョークコイルは、従来のチョークコイルと比較して、リーケージインダクタンスが高く、かつ自己インダクタンスに変化がないので、ノーマルモードノイズとコモンモードノイズの両方の除去に効果的なチョークコイルであることがわかる。
【００６５】
図１８に、半円状の切欠部１３を持つ他のフェライトプレート３７と、磁脚の断面が正８角形の口字形閉磁路コア２Ｂを示す。チョークコイルのフェライトプレート３７は、フェライトプレート３７自体が回転しないような構造になっているが、図１８のような形状のフェライトプレート及び口字形閉磁路コアを用いて、巻線時にボビンとフェライトプレートの両方が回転するような構造にしても、本発明のチョークコイルの製造は可能である。
【００６６】
また、本発明のチョークコイルのフェライトプレートは、必ずしも２枚を組み合わせる必要はなく、図１７のチョークコイルの前記フェライトプレート３６、２枚を図１９のようなフェライトプレート３８を用いて、リーケージインダクタンスを大きくすることが可能である。
【００６７】
また、本発明のチョークコイルのフェライトプレートは、必ずしも外周が円形である必要はなく、歯車ボビンの回転を妨げないような形状であればよく、例えば、図２０のフェライトプレート３９のような略四半円形状に変更しても、歯車ボビンの回転を妨げず、かつリーケージインダクタンスを大きくすることが可能である。
【００６８】
【発明の効果】
本発明のチョークコイルは、フェライトプレートと口字形閉磁路コア又は日字形閉磁路コアとの間から磁束が漏洩することによるリーケージインダクタンスが存在するため、ノーマルモードノイズとコモンモードノイズの両方の除去が可能である。また、口字形閉磁路コア部分には、ギャップが無いために、従来のコモンモードチョークコイルと比較して、自己インダクタンスに変化がない。また、巻線には、歯車付ボビンを使用しているため、自動巻線が可能であり、従って、作業時間のロスも少ない。また、フェライトプレートを接合しても、従来のチョークコイルと形状、大きさの面で大差ない。
【図面の簡単な説明】
【図１】本発明の実施の形態１を示すチョークコイルの外観斜視図。
【図２】本発明の実施の形態１を示すチョークコイルに用いるボビン分割体の説明図。
【図３】本発明の実施の形態１を示すチョークコイルに用いる口字形閉磁路コアとフェライトプレートの位置関係の説明図。
【図４】本発明の実施の形態１を示すチョークコイルに用いる台座を示す説明図。
【図５】本発明の実施の形態１を示すチョークコイルを示す外観斜視図。
【図６】本発明の実施の形態１を示す他のチョークコイルとその口字形閉磁路コアとフェライトプレートの位置関係の説明図。
【図７】本発明の実施の形態２を示すチョークコイルの外観斜視図。
【図８】本発明の実施の形態２を示すチョークコイルに用いるボビン分割体の説明図。
【図９】本発明の実施の形態２を示すチョークコイルに用いる口字形閉磁路コアの外観斜視図。
【図１０】本発明の実施の形態２を示すチョークコイルに用いるフェライトプレートの外観斜視図。
【図１１】本発明の実施の形態２を示すチョークコイル完成後の口字形閉磁路コアとフェライトプレートの位置関係を示す概念図。
【図１２】本発明の実施の形態２を示す他のチョークコイルの外観斜視図。
【図１３】本発明の実施の形態２を示す他のチョークコイルに用いるフェライトプレートの外観斜視図。
【図１４】本発明の実施の形態２を示す他のチョークコイル完成後の口字形閉磁路コアとフェライトプレートの位置関係を示す概念図。
【図１５】本発明の実施の形態３を示すチョークコイルの外観斜視図。
【図１６】本発明の実施の形態３を示すチョークコイルに用いるボビン分割体の説明図。
【図１７】本発明の実施の形態３を示すチョークコイル完成後の口字形閉磁路コアとフェライトプレートの位置関係の説明図。
【図１８】本発明の実施の形態３を示す他のチョークコイルの口字形閉磁路コアとフェライトプレートの位置関係の説明図。
【図１９】本発明の実施の形態３を示す他のチョークコイルの口字形閉磁路コアとフェライトプレートの位置関係の説明図。
【図２０】本発明の実施の形態３を示す他のチョークコイルの口字形閉磁路コアとフェライトプレートの位置関係の説明図。
【図２１】従来のチョークコイルに使用する口字形閉磁路コアの外観斜視図。
【図２２】従来のチョークコイルの外観斜視図。
【符号の説明】
１    ボビン分割体
２    口字形閉磁路コア
２Ａ    日字形閉磁路コア
２Ｂ    正８角形の口字形閉磁路コア
２ａ    凸部
２ｂ    空隙
３    磁脚
４    巻芯
５，６    端部鍔
７，８    中央鍔
７ａ    コイルボビン
９，１０    仕切り板
１１   コイルボビン
１２   接合部
１２ａ    凸部通過部
１２ｂ    収納部
１３，１５，２９    切欠部
１４    磁脚
１６    歯車
１７，１８    嵌合突片
１９     段部
２０     嵌合溝
２１     係合片
２２     係合孔
２３     台座
２３ａ    台座本体
２４，３０    固定部
２５     ピン端子
２６     巻線
２７     端末
２８     巻線部
２８ａ，２８ｂ，２８ｃ    フェライトプレート
２９，３５    切欠部
３１    フェライトプレート
３２     突片
３３     接合面
３４     継部
３６，３７，３８，３９    フェライトプレート
Ａ，Ｂ    形状
Ｌ     自己インダクタンス
Ｌｅ   リーケージインダクタンス
Ｔ     フェライトプレートの厚さ
【図１】
0003871152.tif 000005
【図２】
0003871152.tif 000006
【図３】
0003871152.tif 000007
【図４】
0003871152.tif 000008
【図５】
0003871152.tif 000009
【図６】
0003871152.tif 000010
【図７】
0003871152.tif 000011
【図８】
0003871152.tif 000012
【図９】
0003871152.tif 000013
【図１０】
0003871152.tif 000014
【図１１】
0003871152.tif 000015
【図１２】
0003871152.tif 000016
【図１３】
0003871152.tif 000017
【図１４】
0003871152.tif 000018
【図１５】
0003871152.tif 000019
【図１６】
0003871152.tif 000020
【図１７】
0003871152.tif 000021
【図１８】
0003871152.tif 000022
【図１９】
0003871152.tif 000023
【図２０】
0003871152.tif 000024
【図２１】
0003871152.tif 000025
【図２２】
0003871152.tif 000026